(57)【要約】【課題】  製品を構成する各部品に含まれる化学物質の情報収集の処理を効率よく行なうことができ、またその処理にかかる労力を軽減することのできる含有物質調査装置を提供する。【解決手段】  含有化学物質調査依頼データを端末３へ送信し、部品識別情報で示される部品の製造に利用されている含有化学物質の調査内容情報について入力欄への入力済みの含有化学物質調査依頼データを端末３から受信する。またチェック定義データを用いて、前記入力済みの含有化学物質調査依頼データに入力された調査内容情報のそれぞれの形式をチェックし、チェックが完了した入力済みの含有化学物質調査依頼データについて所定の装置に送信する。【選択図】    図１
2006268452.tif 000002
【特許請求の範囲】
【請求項１】
部品識別情報と、含有化学物質の調査依頼元識別情報とを含み、前記含有化学物質の調査内容情報の入力欄を保持した含有化学物質調査依頼データを端末へ送信する調査依頼データ送信処理部と、
前記部品識別情報で示される部品の製造に利用されている含有化学物質の調査内容情報について前記入力欄への入力済みの含有化学物質調査依頼データを端末から受信する調査依頼データ受信処理部と、
調査内容情報の入力欄へ入力された各情報のそれぞれについて規定の形式で入力されているか否かの検出に利用するチェック定義データを読み込むチェック定義データ読込処理部と、
前記読み込んだチェック定義データを用いて、前記入力済みの含有化学物質調査依頼データに入力された調査内容情報のそれぞれの形式をチェックする形式チェック処理部と、
前記チェックが完了した前記入力済みの含有化学物質調査依頼データについて所定の装置に送信する、チェック完了済みデータ送信処理部と、
を備えることを特徴とする含有物質調査装置。
【請求項２】
前記チェック定義データは、前記検出の定義が前記調査依頼元識別情報で示される調査依頼元ごとに異なる
ことを特徴とする含有物質調査装置。
【請求項３】
前記チェック定義データを、フォーマット変換するフォーマット定義データを読み込むフォーマット定義データ読込手段と、
前記フォーマット定義データを用いて、前記チェック定義データを、フォーマット変換するフォーマット変換部と、
を備えることを特徴とする請求項１に記載の含有物質調査装置。
【請求項４】
前記フォーマット定義データは、前記フォーマットの定義が前記調査依頼元識別情報で示される調査依頼元ごとに異なる
ことを特徴とする請求項３に記載の含有物質調査装置。
【請求項５】
前記チェック定義データ読込処理部は、
前記入力済みの含有化学物質調査依頼データに含まれる調査依頼元識別情報に特有の前記チェック定義データを読み込む
ことを特徴とする請求項１から請求項４のいずれかに記載の含有物質調査装置。
【請求項６】
前記含有化学物質調査依頼データには前記部品の総重量が記録されており、
前記入力済みの含有化学物質調査依頼データに入力された複数の化学物質の各重量の総和が、前記部品の総重量を超えるか否かを検出する総重量比較処理部と、
複数の化学物質の総重量が、前記部品の総重量を超えた場合には、前記入力済みの含有化学物質調査依頼データの不備を前記端末に通知する入力不備通知処理部と
を備えることを特徴とする請求項１から請求項５のいずれかに記載の含有物質調査装置。
【請求項７】
調査依頼元サーバが、
前記調査依頼データ送信処理部と、チェック定義データを記憶するチェック定義データ記憶部と、そのチェック定義データ記憶部に記録されているチェック定義データを更新するチェック定義データ更新処理部と、を備え、
データ回答サーバが、
前記調査依頼データ受信処理部と、前記チェック定義データ読込処理部と、前記チェック完了済みデータ送信処理部と、前記総重量比較処理部と、前記入力不備通知処理部と、
を備えることを特徴とする請求項１から請求項７のいずれかに記載の含有物質調査装置。
【請求項８】
含有物質調査装置のコンピュータに実行させるプログラムであって、
部品識別情報と、含有化学物質の調査依頼元識別情報とを含み、前記含有化学物質の調査内容情報の入力欄を保持した含有化学物質調査依頼データを端末へ送信する処理と、
前記部品識別情報で示される部品の製造に利用されている含有化学物質の調査内容情報について前記入力欄への入力済みの含有化学物質調査依頼データを端末から受信する処理と、
調査内容情報の入力欄へ入力された各情報のそれぞれについて規定の形式で入力されているか否かの検出に利用するチェック定義データを読み込む処理と、
前記読み込んだチェック定義データを用いて、前記入力済みの含有化学物質調査依頼データに入力された調査内容情報のそれぞれの形式をチェックする処理と、
前記チェックが完了した前記入力済みの含有化学物質調査依頼データについて所定の装置に送信する処理と、
をコンピュータに実行させるプログラム。
【請求項９】
請求項８に記載の処理に加え、
前記チェック定義データを、前記調査依頼元識別情報で示される調査依頼元に特有のフォーマットに変換するフォーマット定義データを読み込む処理と、
前記フォーマット定義データを用いて、前記チェック定義データを、前記調査依頼元識別情報で示される調査依頼元に特有のフォーマットに変換する処理と、
をコンピュータに実行させるプログラム。
【請求項１０】
含有物質調査装置のコンピュータに実行させるプログラムを記憶する記録媒体であって、
部品識別情報と、含有化学物質の調査依頼元識別情報とを含み、前記含有化学物質の調査内容情報の入力欄を保持した含有化学物質調査依頼データを端末へ送信する処理と、
前記部品識別情報で示される部品の製造に利用されている含有化学物質の調査内容情報について前記入力欄への入力済みの含有化学物質調査依頼データを端末から受信する処理と、
調査内容情報の入力欄へ入力された各情報のそれぞれについて規定の形式で入力されているか否かの検出に利用するチェック定義データを読み込む処理と、
前記読み込んだチェック定義データを用いて、前記入力済みの含有化学物質調査依頼データに入力された調査内容情報のそれぞれの形式をチェックする処理と、
前記チェックが完了した前記入力済みの含有化学物質調査依頼データについて所定の装置に送信する処理と、
をコンピュータに実行させるプログラムを記憶する記録媒体。
【請求項１１】
請求項１０に記載の処理に加え、
前記チェック定義データを、前記調査依頼元識別情報で示される調査依頼元に特有のフォーマットに変換するフォーマット定義データを読み込む処理と、
前記フォーマット定義データを用いて、前記チェック定義データを、前記調査依頼元識別情報で示される調査依頼元に特有のフォーマットに変換する処理と、
をコンピュータに実行させるプログラムを記憶する記録媒体。
【請求項１２】
含有物質調査装置における含有物質調査方法であって、
部品識別情報と、含有化学物質の調査依頼元識別情報とを含み、前記含有化学物質の調査内容情報の入力欄を保持した含有化学物質調査依頼データを端末へ送信し、
前記部品識別情報で示される部品の製造に利用されている含有化学物質の調査内容情報について前記入力欄への入力済みの含有化学物質調査依頼データを端末から受信し、
調査内容情報の入力欄へ入力された各情報のそれぞれについて規定の形式で入力されているか否かの検出に利用するチェック定義データのうちを読み込み、
前記読み込んだチェック定義データを用いて、前記入力済みの含有化学物質調査依頼データに入力された調査内容情報のそれぞれの形式をチェックし、
前記チェックが完了した前記入力済みの含有化学物質調査依頼データについて所定の装置に送信する
ことを特徴とする含有物質調査方法。
【請求項１３】
前記チェック定義データを、前記調査依頼元識別情報で示される調査依頼元に特有のフォーマットに変換するフォーマット定義データを読み込み、
前記フォーマット定義データを用いて、前記チェック定義データを、前記調査依頼元識別情報で示される調査依頼元に特有のフォーマットに変換する
ことを特徴とする請求項１２に記載の含有物質調査方法。
【発明の詳細な説明】
【技術分野】
【０００１】
本発明は、製品を構成する各部品に含まれる、化学物質の調査に好適な含有物質調査装置および含有物質調査方法並びにそのプログラムと記録媒体に関する。
【背景技術】
【０００２】
ＥＵ市場のＲｏＨＳ（Restriction of the use of certain hazardous substances in electrical and electronic equipment）指令に代表されるように、世界各国において工業製品を製造・販売する際に当該製品に含有される化学物質の規制を行なう動きが活発である。例えば部品を組み立てて製品を製造するセットメーカ（例えば自動車メーカや電気機器メーカ）は、各部品を製造している部品メーカに対して、部品に含有する化学物質の回答を求めて、利用されている物質が法に違反していないか否かの調査を行なっている。そして各部品メーカは、例えば部品に含有する化学物質を回答する際に、定められた回答用のデータファイル（例えば表計算アプリケーションや文書作成アプリケーションで利用されるファイル形式のデータファイル）などに含有物質の情報を書込んで、当該データファイルをセットメーカの担当者宛てに送信することにより回答を行なっている（または文書のＦＡＸによる回答など）。なお、関連技術として、製品を構成するための部品や材料の環境負荷情報を仕入先からネットワークを通じて収集し、これらデータを蓄積し、その蓄積した環境負荷情報を用いて製品設計や各種の資料作成を行うことができるようにした環境負荷情報管理方法の技術が特許文献１として公開されている。
【特許文献１】特開２００２−２３００９１号公報
【発明の開示】
【発明が解決しようとする課題】
【０００３】
ここで、上述のような処理を経て、部品に含有される化学物質の回答を受けたセットメーカの担当者は、その化学物質の種類や含有量などそれぞれの部品についてデータベースなどに登録し管理を行なう。しかしながら、この処理においては現在、非効率な処理などが多く、製品を構成する部品の量が多い場合、莫大な工数がかかってしまう。
また部品メーカは同一部品を様々なセットメーカに供給していることが多くあるが、セットメーカそれぞれに対して同一部品についての回答の処理を行なうと、部品メーカは、供給先のセットメーカごとに重複して同一の調査回答の処理を行なわなければならず、また供給先のセットメーカごとに回答の文書のフォーマットなどが違う場合には、それぞれ異なる内容の調査結果を回答しなければならないなど、労力が多分にかかるという問題がある。
また製品に利用されている化学物質について効率よく情報を得て、その情報を開示しなければならないといった問題は、全てのセットメーカにとって共通の課題であるため、共通のプラットフォームが存在する事が望ましい。
【０００４】
そこでこの発明は、製品を構成する各部品に含まれる化学物質の情報収集の処理を、セットメーカ、部品メーカともに、効率よく行なうことができ、またその処理にかかる労力を軽減することのできる含有物質調査装置および含有物質調査方法並びにそのプログラムと記録媒体を提供することを目的としている。
【課題を解決するための手段】
【０００５】
本発明は、上述の課題を解決すべくなされたもので、部品識別情報と、含有化学物質の調査依頼元識別情報とを含み、前記含有化学物質の調査内容情報の入力欄を保持した含有化学物質調査依頼データを端末へ送信する調査依頼データ送信処理部と、前記部品識別情報で示される部品の製造に利用されている含有化学物質の調査内容情報について前記入力欄への入力済みの含有化学物質調査依頼データを端末から受信する調査依頼データ受信処理部と、調査内容情報の入力欄へ入力された各情報のそれぞれについて規定の形式で入力されているか否かの検出に利用するチェック定義データを読み込むチェック定義データ読込処理部と、前記読み込んだチェック定義データを用いて、前記入力済みの含有化学物質調査依頼データに入力された調査内容情報のそれぞれの形式をチェックする形式チェック処理部と、前記チェックが完了した前記入力済みの含有化学物質調査依頼データについて所定の装置に送信する、チェック完了済みデータ送信処理部と、を備えることを特徴とする含有物質調査装置である。
【０００６】
本発明によれば、これまで調査依頼元が行なってきた、調査内容の提出の調査先への依頼、回答された含有化学物質調査依頼データのチェックや、含有化学物質調査依頼データの回収が１つのワークフローで可能となり、各調査依頼元の作業を大幅に削減することができる。
【０００７】
また本発明は、前記チェック定義データは、前記検出の定義が前記調査依頼元識別情報で示される調査依頼元ごとに異なることを特徴とする。
【０００８】
また本発明は、前記チェック定義データを、フォーマット変換するフォーマット定義データを読み込むフォーマット定義データ読込手段と、前記フォーマット定義データを用いて、前記チェック定義データを、フォーマット変換するフォーマット変換部と、を備えることを特徴とする。
【０００９】
本発明によれば、調査先において、複数の調査依頼元のセットメーカなどから、同一部品についての含有物質の調査依頼が来た場合でも、含有化学物質調査依頼データを返信先の調査依頼元に特有のフォーマットに変換するので、それぞれの含有化学物質調査依頼データに対する調査内容の入力をせずに済み、大幅に部品の含有化学物質の調査の煩雑な作業を軽減することができる。
【００１０】
また本発明は、前記フォーマット定義データが、前記フォーマットの定義が前記調査依頼元識別情報で示される調査依頼元ごとに異なることを特徴とする。
【００１１】
また本発明は、前記チェック定義データ読込処理部が、前記入力済みの含有化学物質調査依頼データに含まれる調査依頼元識別情報に特有の前記チェック定義データを読み込むことを特徴とする。
【００１２】
また本発明は、前記含有化学物質調査依頼データには前記部品の総重量が記録されており、前記入力済みの含有化学物質調査依頼データに入力された複数の化学物質の各重量の総和が、前記部品の総重量を超えるか否かを検出する総重量比較処理部と、複数の化学物質の総重量が、前記部品の総重量を超えた場合には、前記入力済みの含有化学物質調査依頼データの不備を前記端末に通知する入力不備通知処理部とを備えることを特徴とする。
【００１３】
また本発明は、調査依頼元サーバが、前記調査依頼データ送信処理部と、チェック定義データを記憶するチェック定義データ記憶部と、そのチェック定義データ記憶部に記録されているチェック定義データを更新するチェック定義データ更新処理部と、を備え、データ回答サーバが、前記調査依頼データ受信処理部と、前記チェック定義データ読込処理部と、前記チェック完了済みデータ送信処理部と、前記総重量比較処理部と、前記入力不備通知処理部と、を備えることを特徴とする。
【００１４】
また本発明は、含有物質調査装置のコンピュータに実行させるプログラムであって、部品識別情報と、含有化学物質の調査依頼元識別情報とを含み、前記含有化学物質の調査内容情報の入力欄を保持した含有化学物質調査依頼データを端末へ送信する処理と、前記部品識別情報で示される部品の製造に利用されている含有化学物質の調査内容情報について前記入力欄への入力済みの含有化学物質調査依頼データを端末から受信する処理と、調査内容情報の入力欄へ入力された各情報のそれぞれについて規定の形式で入力されているか否かの検出に利用するチェック定義データを読み込む処理と、前記読み込んだチェック定義データを用いて、前記入力済みの含有化学物質調査依頼データに入力された調査内容情報のそれぞれの形式をチェックする処理と、前記チェックが完了した前記入力済みの含有化学物質調査依頼データについて所定の装置に送信する処理と、をコンピュータに実行させるプログラムである。
【００１５】
また本発明は、上記処理に加え、前記チェック定義データを、前記調査依頼元識別情報で示される調査依頼元に特有のフォーマットに変換するフォーマット定義データを読み込む処理と、前記フォーマット定義データを用いて、前記チェック定義データを、前記調査依頼元識別情報で示される調査依頼元に特有のフォーマットに変換する処理と、をコンピュータに実行させるプログラムである。
【００１６】
また本発明は、含有物質調査装置のコンピュータに実行させるプログラムを記憶する記録媒体であって、部品識別情報と、含有化学物質の調査依頼元識別情報とを含み、前記含有化学物質の調査内容情報の入力欄を保持した含有化学物質調査依頼データを端末へ送信する処理と、前記部品識別情報で示される部品の製造に利用されている含有化学物質の調査内容情報について前記入力欄への入力済みの含有化学物質調査依頼データを端末から受信する処理と、調査内容情報の入力欄へ入力された各情報のそれぞれについて規定の形式で入力されているか否かの検出に利用するチェック定義データを読み込む処理と、前記読み込んだチェック定義データを用いて、前記入力済みの含有化学物質調査依頼データに入力された調査内容情報のそれぞれの形式をチェックする処理と、前記チェックが完了した前記入力済みの含有化学物質調査依頼データについて所定の装置に送信する処理と、をコンピュータに実行させるプログラムを記憶する記録媒体である。
【００１７】
また本発明は、上記処理に加え、前記チェック定義データを、前記調査依頼元識別情報で示される調査依頼元に特有のフォーマットに変換するフォーマット定義データを読み込む処理と、前記フォーマット定義データを用いて、前記チェック定義データを、前記調査依頼元識別情報で示される調査依頼元に特有のフォーマットに変換する処理と、をコンピュータに実行させるプログラムを記憶する記録媒体である。
【００１８】
また本発明は、含有物質調査装置における含有物質調査方法であって、部品識別情報と、含有化学物質の調査依頼元識別情報とを含み、前記含有化学物質の調査内容情報の入力欄を保持した含有化学物質調査依頼データを端末へ送信し、前記部品識別情報で示される部品の製造に利用されている含有化学物質の調査内容情報について前記入力欄への入力済みの含有化学物質調査依頼データを端末から受信し、調査内容情報の入力欄へ入力された各情報のそれぞれについて規定の形式で入力されているか否かの検出に利用するチェック定義データのうちを読み込み、前記読み込んだチェック定義データを用いて、前記入力済みの含有化学物質調査依頼データに入力された調査内容情報のそれぞれの形式をチェックし、前記チェックが完了した前記入力済みの含有化学物質調査依頼データについて所定の装置に送信することを特徴とする含有物質調査方法である。
【００１９】
また本発明は、上記含有物質調査方法において、前記チェック定義データを、前記調査依頼元識別情報で示される調査依頼元に特有のフォーマットに変換するフォーマット定義データを読み込み、前記フォーマット定義データを用いて、前記チェック定義データを、前記調査依頼元識別情報で示される調査依頼元に特有のフォーマットに変換することを特徴とする。
【発明を実施するための最良の形態】
【００２０】
以下、本発明の一実施形態による含有物質調査システムを図面を参照して説明する。図１は同実施形態による含有物質調査システムの構成を示すブロック図である。
この図において、符号１は、製品に含まれる含有化学物質の調査を行なうセットメーカなどの調査依頼元が管理する調査依頼元サーバである。また２は調査の依頼を受ける調査先（例えばセットメーカが製造する製品の各部品を製造する部品メーカ）より、その調査の回答のデータを受け付けて調査依頼元サーバ１へ返送するデータ回答サーバである。また３は調査先に設置される端末である。そして、調査依頼元サーバ１とデータ回答サーバ２と端末３とは通信ネットワークを介して接続されている。なお端末３から調査依頼元サーバ１へのアクセスは、通信ネットワーク上の制限（例えばファイアーウォールなどの処理）によりできないものとし、また端末３はデータ回答サーバ２に対して自由にアクセスできるものとする。また調査依頼元は複数存在することが考えられるが、それぞれの調査依頼元が別々に調査依頼元サーバ１を保持していても良いし、複数の調査依頼元が共有するような調査依頼元サーバ１であってもよい。
【００２１】
図２は調査依頼元サーバとデータ回答サーバの機能構成を示す図である。
調査依頼元サーバ１において、符号１１は他装置と通信ネットワークを介して情報の送受信を行なう通信処理部である。また１２は調査依頼元サーバ１内の各処理部を制御する制御部である。また１３は担当者から指示された含有化学物質調査依頼データの送信を通信処理部１１に指示する調査依頼データ送信処理部である。含有化学物質調査依頼データの詳細については後述するが、これは部品に含まれる含有化学物質の名称や質量などを調査先の担当者が記録するためのデータである。また１４は調査内容が保存された含有化学物質調査依頼データのチェックを行なうチェック定義データを更新する処理を行なうチェック定義データ更新処理部である。また１５はチェック定義データやフォーマット定義データを記憶するデータ記憶部である。チェック定義データは、調査依頼元に特有のチェック定義データであり、例えば、含有化学物質調査依頼データのチェックを行なう際の、処理を定義したプログラムが格納されている。またフォーマット定義データは、チェック定義データを所定の調査依頼元のフォーマットに変換する処理を定義したプログラムが格納されているデータである。
【００２２】
また図２のデータ回答サーバ２において、符号２１は他装置と通信ネットワークを介して情報の送受信を行なう通信処理部である。また２２はデータ回答サーバ２内の各処理部を制御する制御部である。また２３は調査依頼元サーバ１の記憶するチェック定義データやフォーマット定義データを読み込むデータ読込処理部である。また２４はフォーマット定義データを用いて、含有化学物質調査依頼データを指定された調査依頼元に特有のフォーマットに変換するフォーマット変換部である。また２５は含有化学物質調査依頼データに保存された調査内容の情報のチェックを行なうチェック処理部である。このチェックは、例えば文字数や文字列のデータ形式の違反などのチェックや、調査内容項目の入力の不足などのチェックである。
【００２３】
そして、まず調査依頼元の担当者が、特定の製品に利用されている部品の化学物質調査を行なう為に、当該部品の調査依頼に利用する含有化学物質調査依頼データの送信を調査依頼元サーバ１に指示する。これにより調査依頼元サーバ１が含有化学物質調査依頼データを調査先の端末３に送信する。また端末３を用いて調査先の担当者が部品に含まれる化学物質の情報の入力を含有化学物質調査依頼データに対して行い、データ回答サーバ２へ送信する。データ回答サーバ２は所定のチェックを行い、チェック済みの含有化学物質調査依頼データを調査依頼元サーバ１に返送する処理を行なう。
【００２４】
図３は含有物質調査システムの処理フローを示す図である。
次に図３を用いて含有物質調査システムの処理フローについて説明する。
まず、調査依頼元の担当者が、特定の製品に利用されている部品の化学物質調査を行なう為に、当該部品の調査依頼を指定する含有化学物質調査依頼データの送信を調査依頼元サーバ１に指示する。すると調査依頼元サーバ１の調査依頼データ送信処理部１３は、データ記憶部１５に記録されいている含有化学物質調査依頼データを読み込んで、所定の調査先の端末３へ送信するよう通信処理部１１に指示する。そして通信処理部１１が含有化学物質調査依頼データを指示された端末３へ送信する（ステップＳ１）。なおこの送信された含有化学物質調査依頼データには、調査対象の部品の識別情報や回答期限などの情報が保持されている。さらに含有化学物質調査依頼データは、調査先に対して所定の含有禁止物質が含まれていないことの証明に同意させる画面（非含有証明画面）の情報を保持している。調査依頼データ送信処理部１３は、調査依頼元の担当者からの入力された調査先の情報に基づいて、当該所定の調査先の端末３へ含有化学物質調査依頼データを送信する処理を行なっても良いし、また含有化学物質調査依頼データに保持されている調査先の端末の情報（例えば調査先の端末３のＵＲＬやＩＰアドレスなど）を読み取って、その情報に基づいて送信するようにしても良い。
【００２５】
端末３においては、含有化学物質調査依頼データを受信すると、調査先の担当者が含有化学物質調査依頼データに基づいて生成される画面を端末３の備える表示装置に表示させる。この画面には調査対象の部品の識別情報が表示される。そして、その部品の製造に利用した化学物質の物質分類番号、物質名、化学式、金属換算係数、物質区分、単位体積あたりの質量などの調査内容の情報を所定の入力欄に入力する（ステップＳ２）。また含有化学物質調査依頼データに基づいて生成される画面として、別に含有禁止物質が含まれていないことの証明に同意することを促す画面が表示される。この画面において同意する指示を、例えば表示されたボタンをクリックするなどして与えることにより、端末３は、調査内容の入力済みの含有化学物質調査依頼データを生成し、自装置内に保存する。この調査内容の入力済みの含有化学物質調査依頼データには禁止物質の非含有の証明書の情報も保持される。また担当者の指示により端末３は調査内容の入力済みの含有化学物質調査依頼データをデータ回答サーバ２へ送信する（ステップＳ３）。この時、調査先の担当者は端末３を用いてデータ回答サーバ２に、調査依頼元の情報を通知するようにしても良い。
【００２６】
次に、データ回答サーバ２において通信処理部２１が含有化学物質調査依頼データを受信すると、当該含有化学物質調査依頼データをチェック処理部２５に転送する。チェック処理部２５は、含有化学物質調査依頼データに含まれる調査依頼元の情報に基づいてその調査依頼元の調査依頼元サーバ１からチェック定義データとフォーマット定義データを読み込むよう指示し、データ読込処理部２３が調査依頼元サーバ１からチェック定義データとフォーマット定義データを読み込む。チェック処理部２５は、データ読込処理部２３が調査依頼元サーバ１から読み込んだチェック定義データを利用して、調査内容の入力済みの含有化学物質調査依頼データをチェックする（ステップＳ４）。この時、例えば、含有化学物質調査依頼データに保持された調査内容の情報のチェック（例えば、文字列の言語や文字数や文字種別や入力禁止文字の有無などのチェック）や、含有化学物質調査依頼データが調査依頼元で利用されるデータフォーマットか否かのチェックや、部品に含有されている化学物質の質量の総和が、含有化学物質調査依頼データに保持されている部品の総重量を超えるか否かを判定するチェックなどの処理を行なう。なお部品に含有されている化学物質の質量の総和の計算は例えば、部品Ａにおいて物質ａ（単位体積あたりの含有量Ｘ）、物質ｂ（単位体積あたりの含有量Ｙ）が含まれている場合には、物質ａの体積・Ｘ＋物質ｂの体積・Ｙで算出される値である。
【００２７】
そしてそのチェック定義データで定義された処理の全てにおいて、チェックが完了した場合には、チェック処理部２５は調査内容の入力済みの含有化学物質調査依頼データを調査依頼元サーバ１へ送信する指示を通信処理部２１に行う。またチェックの処理においてエラーが発生したかを判定し（ステップＳ５）、エラーが発生した場合には、その入力済みの含有化学物質調査依頼データの不備とその不備の内容を示すデータを端末３に通知する（ステップＳ６）。この不備の内容を示すデータは、例えば含有化学物質調査依頼データの画面を表示部に表示させた際に、不備の内容が何かを示す情報やその入力欄を表示するデータである。そして全てのチェックに不備がないと判断され、チェック処理部２５から指示があった場合において、通信処理部２１は、その調査内容の入力済みの含有化学物質調査依頼データを調査依頼元サーバ１に送信する（ステップＳ７）。なお含有化学物質調査依頼データの送信先の調査依頼元サーバ１は、端末３から通知を受けた情報を元に判断しても良いし、含有化学物質調査依頼データに保持された調査依頼元の識別情報を元に判断するようにしても良い。
【００２８】
次に調査依頼元サーバ１は調査内容の入力済みの含有化学物質調査依頼データをデータ回答サーバ２から受信すると、その含有化学物質調査依頼データを所定のデータベースに格納する処理を行なう（ステップＳ８）。以上の処理により、これまで各セットメーカなどの調査依頼元が行なってきた、調査内容の提出の依頼、回答された含有化学物質調査依頼データのチェックや、含有化学物質調査依頼データの回収が１つのワークフローで可能となり、各調査依頼元の作業を大幅に削減することができる。
【００２９】
図４は含有物質調査システムの処理フローを示す第２の図である。
次に図４を用いて、同一の部品についての調査依頼を複数の調査依頼元が行なった際の処理について説明する。
上述の処理の次に、他の調査依頼元が同一の部品についの調査依頼を、同じ調査依頼先に行なった場合、上記処理同様に、他の調査依頼元が保持する調査依頼元サーバ１が、端末３に含有化学物質調査依頼データを送信する（ステップＳ２１）。調査先の担当者は、端末３で受信した含有化学物質調査依頼データの内容（調査対象の部品の情報）から、前回にも同一の部品についての調査の内容を送信したと判断すると、前回データ回答サーバ２に送信した調査内容の入力済みの含有化学物質調査依頼データに基づいて生成される画面を端末３の備える表示装置に表示させる。そして担当者は、画面に表示された前回の調査の依頼を受けた調査依頼元の情報を、今回調査の依頼を受けた調査依頼元の情報に書き換える（ステップＳ２２）。そして、担当者による、その画面の保存の指示に基づいて、端末３は、調査内容の入力済みの含有化学物質調査依頼データを生成し、自装置内に保存する。次に、担当者の指示に基づいて端末３はデータ回答サーバ２へ送信する（ステップＳ２３）。この時、調査先の担当者は端末３を用いてデータ回答サーバ２に、調査依頼元の情報を通知するようにしても良い。
【００３０】
次に、データ回答サーバ２において通信処理部２１が含有化学物質調査依頼データを受信すると、当該含有化学物質調査依頼データをチェック処理部２５に転送する。チェック処理部２５は、含有化学物質調査依頼データに含まれる調査依頼元の情報に基づいてその調査依頼元の調査依頼元サーバ１からチェック定義データとフォーマット定義データを読み込むよう指示し、データ読込処理部２３が調査依頼元サーバ１からチェック定義データとフォーマット定義データを読み込む。そしてチェック処理部２５はそのチェック定義データを利用して、調査内容の入力済みの含有化学物質調査依頼データをチェックする（ステップＳ２４）。この時、データ回答サーバ２の上述の処理同様に、含有化学物質調査依頼データに保持された調査内容の情報のチェック（例えば、文字列の言語や文字数や文字種別や入力禁止文字の有無などのチェック）や、含有化学物質調査依頼データが調査依頼元で利用されるデータフォーマットか否かのチェックや、部品に含有されている化学物質の質量の総和が、含有化学物質調査依頼データに保持されている部品の総重量を超えるか否かを判定するチェックなどの処理を行なう。ここでエラーが発生すれ（ステップＳ２５）、上記同様に、入力された情報に不備があることを示すデータを端末３に送信する（ステップＳ２６）。
【００３１】
また、チェック処理部２５は、含有化学物質調査依頼データのデータフォーマットが、回答先の調査依頼元のデータフォーマットと異なる事を、チェック定義データで定義されているデータフォーマットと比較する事により判定する（ステップＳ２７）。データフォーマットが異なると判定した場合には、フォーマットの変換をフォーマット変換部２４に通知する。そして、フォーマット変換部２４は、データ読込処理部２３が読み込んだフォーマット定義データを用いて、返信先の調査依頼元のフォーマットに含有化学物質調査依頼データを変換する（ステップＳ２８）。そして、フォーマット変換部２４は、フォーマット済みであって、調査内容の入力済みの含有化学物質調査依頼データの、指定された調査依頼元への送信を通信処理部２１に指示する。そして通信処理部２１は、その含有化学物質調査依頼データを調査依頼元サーバ１に送信する（ステップＳ２９）。以上の処理により、調査先の部品メーカなどの担当者は、複数の調査依頼元のセットメーカなどから、同一部品についての含有物質の調査依頼が来た場合でも、データ回答サーバ２が、調査先の担当者から指定された情報や、含有化学物質調査依頼データに格納された情報に基づいて、含有化学物質調査依頼データを返信先の調査依頼元に特有のフォーマットに変換するので、それぞれの含有化学物質調査依頼データに対する調査内容の入力をせずに済み、大幅に部品の含有化学物質の調査の煩雑な作業を軽減することができる。
【００３２】
なお上述の各装置は内部に、コンピュータシステムを有している。そして、上述したそりの過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３３】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３４】
【図１】含有物質調査システムの構成を示すブロック図である。
【図２】調査依頼元サーバとデータ回答サーバの機能構成を示す図である。
【図３】含有物質調査システムの処理フローを示す図である。
【図４】含有物質調査システムの処理フローを示す第２の図である。
【符号の説明】
【００３５】
１・・・調査依頼元サーバ、２・・・データ回答サーバ、３・・・端末
【図１】
2006268452.tif 000003
【図２】
2006268452.tif 000004
【図３】
2006268452.tif 000005
【図４】
2006268452.tif 000006